(57)【要約】【課題】電子的な情報を表示する際の利用者の煩雑さを軽減し、ワンタッチで情報を登録し、さらに表示した電子的な情報の管理やハンドリングを改善する情報表示システムを提供する。【解決手段】この情報表示システムは、管理された画像情報を表示するときに、利用者が所望のスケジュール情報を取得するとともに、文書を電子的な画像情報として取り込んで、前記スケジュール情報と前記画像情報とを対応付けてデータ記憶手段へ登録し、前記データ記憶手段に記憶しているスケジュール情報と画像情報とを取得して、該スケジュール情報に基づいて画像情報を表示する。【選択図】図３
2007066065.tif 000002
【特許請求の範囲】
【請求項１】
表示する画像情報を取得する情報発行装置と、表示する画像情報を管理する情報管理装置と、画像情報を表示する情報表示装置とをネットワークを介して通信可能に接続された情報表示システムであって、前記情報発行装置は、利用者が所望のスケジュール情報を取得するスケジュール取得手段と、文書を電子的な画像情報として取り込む画像取得手段と、前記スケジュール情報と前記画像情報とを登録管理するために前記情報管理装置へ転送するデータ登録要求手段とを有し、前記情報管理装置は、前記データ登録要求手段から受信した画像情報とスケジュール情報とを対応付けてデータ記憶手段へ登録するデータ登録手段と、利用者が指定したスケジュール情報を保持するスケジュール記憶手段とを有し、前記情報表示装置は、前記データ記憶手段に記憶しているスケジュール情報と画像情報とを取得し、該スケジュール情報に基づいて画像情報を表示する情報表示手段を有することを特徴とする情報表示システム。
【請求項２】
請求項１に記載の情報表示システムにおいて、前記スケジュール取得手段は、前記スケジュール記憶手段に記憶されたスケジュール情報に基づいて選択させることを特徴とする情報表示システム。
【請求項３】
請求項２に記載の情報表示システムにおいて、前記情報発行装置は、一人以上の利用者のユニークなＩＤ情報を特定するユーザ認識手段を有し、前記スケジュール取得手段は、前記スケジュール記憶手段に記憶されたスケジュール情報のうち、前記ユーザ認識手段によって認識したユーザＩＤに合致するスケジュール情報のみに基づいて選択させることを特徴とする情報表示システム。
【請求項４】
請求項１に記載の情報表示システムにおいて、前記情報表示手段は、画像情報を画面に配置して表示する通常の表示状態と、スケジュール情報をカレンダ形式で表示する表示状態とを選択可能としたことを特徴とする情報表示システム。
【請求項５】
請求項４に記載の情報表示システムにおいて、前記情報表示装置は、前記情報表示手段で表示された画像情報の配置位置や大きさを編集して、前記データ記憶手段を更新する編集手段を有することを特徴とする情報表示システム。
【請求項６】
請求項４または５に記載の情報表示システムにおいて、前記情報表示装置は、前記情報表示手段により表示された画像情報のズーミングを指定可能とする発行手段を有することを特徴とする情報表示システム。
【請求項７】
請求項６に記載の情報表示システムにおいて、前記発行手段は、指定された画像情報を中央に拡大表示するとともに、指定されない他の画像情報の大きさは、前記指定された画像情報との相対距離に比例して縮小し、指定されない他の画像情報の表示位置は、前記指定された画像情報からの相対距離に反比例して移動表示することを特徴とする情報表示システム。
【請求項８】
請求項６または７に記載の情報表示システムにおいて、前記発行手段は、前記情報表示手段で表示された画像情報以外を指定することによって、ズーミング表示を解除することを特徴とする情報表示システム。
【請求項９】
請求項１乃至８のいずれかに記載の情報表示システムにおいて、前記情報表示装置は、一人以上の使用者のユニークなＩＤ情報を特定するユーザ認識手段を有し、前記情報表示手段は、前記データ記憶手段に記憶されたスケジュール情報のうち、前記ユーザ認識手段によって認識したユーザＩＤに合致するスケジュール情報についてだけ表示することを特徴とする情報表示システム。
【請求項１０】
表示する画像情報を取得するとともに、該表示する画像情報を管理する情報発行装置と画像情報を表示する情報表示装置とをネットワークを介して通信可能に接続された情報表示システムであって、前記情報発行装置は、利用者が所望のスケジュール情報を取得するスケジュール取得手段と、文書を電子的な画像情報として取り込む画像取得手段と、前記スケジュール情報と前記画像情報とを対応付けてデータ記憶手段へ登録するデータ登録手段と、利用者が指定したスケジュール情報を保持するスケジュール記憶手段とを有し、前記情報表示装置は、前記データ記憶手段に記憶しているスケジュール情報と画像情報とを取得し、該スケジュール情報に基づいて画像情報を表示する情報表示手段を有することを特徴とする情報表示システム。
【請求項１１】
表示する画像情報を取得する情報発行装置と、表示する画像情報を管理するとともに該画像情報を表示する情報表示装置とをネットワークを介して通信可能に接続された情報表示システムであって、前記情報発行装置は、利用者が所望のスケジュール情報を取得するスケジュール取得手段と、文書を電子的な画像情報として取り込む画像取得手段と、前記スケジュール情報と前記画像情報とを登録管理するために前記情報管理装置へ転送するデータ登録要求手段とを有し、前記情報表示装置は、前記データ登録要求手段から受信した画像情報とスケジュール情報とを対応付けてデータ記憶手段へ登録するデータ登録手段と、利用者が指定したスケジュール情報を保持するスケジュール記憶手段と、前記データ記憶手段に記憶しているスケジュール情報と画像情報とを取得し、該スケジュール情報に基づいて画像情報を表示する情報表示手段とを有することを特徴とする情報表示システム。
【請求項１２】
管理された画像情報を表示する情報表示方法であって、利用者が所望のスケジュール情報を取得するとともに、文書を電子的な画像情報として取り込んで、前記スケジュール情報と前記画像情報とを対応付けてデータ記憶手段へ登録し、前記データ記憶手段に記憶しているスケジュール情報と画像情報とを取得して、該スケジュール情報に基づいて画像情報を表示することを特徴とする情報表示方法。
【請求項１３】
管理された画像情報を表示する情報表示装置であって、利用者が所望のスケジュール情報を取得するスケジュール取得手段と、文書を電子的な画像情報として取り込む画像取得手段と、前記スケジュール情報と前記画像情報とを対応付けてデータ記憶手段へ登録するデータ登録手段と、利用者が指定したスケジュール情報を保持するスケジュール記憶手段と、前記データ記憶手段に記憶しているスケジュール情報と画像情報とを取得し、該スケジュール情報に基づいて画像情報を表示する情報表示手段とを有することを特徴とする情報表示装置。
【請求項１４】
コンピュータに、請求項１乃至１１いずれかに記載の情報表示システムの機能、あるいは、請求項１３に記載の情報表示装置の機能を実現させるためのプログラム。
【請求項１５】
コンピュータが読み取り可能な記録媒体であって、請求項１４に記載のプログラムを記録したことを特徴とする記録媒体。
【発明の詳細な説明】
【技術分野】
【０００１】
本発明は、情報表示システム、情報表示装置、情報表示方法、並びにプログラムおよび記録媒体に関し、電子的な情報を表示する際の利用者の煩雑さを軽減する技術に関する。
【背景技術】
【０００２】
近年、鉄道の駅、駅前やコンビニエンスストアなどの街角や、建物の中の廊下や喫茶などの公共スペースに比較的大型の液晶ディスプレイ、プラズマディスプレイ、文字情報がスクロール表示される電光掲示板が普及しつつある。
このような電光掲示板は公共スペースで情報を共有できるため、通りがかった利用者に対して情報を提供したり、ニュース速報などの即時的に伝えるべき情報をいち早く利用者に供給できるといったメリットがある。
【０００３】
しかし、これら電光掲示板に電子的な情報を掲載するには、電光掲示板に付属する専用の端末上に情報を登録する必要があるが、この情報登録操作が非常に煩雑であった。
【０００４】
特許文献１の技術では、文書取込装置が文書の画像データを読み取り、その文書のタイトル等の付加情報を入力し、文書蓄積サーバへ通信回線を介して文書蓄積を依頼すると共に、画像データに付加情報を添付して送信する。文書蓄積サーバでは、文書取込装置から文書蓄積の依頼を受信すると、画像データと付加情報を受信し、その付加情報を含む検索情報に画像データを対応させて蓄積し、参照ＰＣから通信回線を介して文書の参照が要求されたとき、検索情報に基づく画像データの検索を行わせて、その検索によって選択された画像データに基づく文書を参照ＰＣに送信して掲示する。これにより、通信網上で文書を容易に掲示して公開できるようになる。
【０００５】
また、特許文献２の技術では、利用者が複写機等の画像処理装置を利用して、紙上の掲示情報を取り込んで記憶装置に記憶させておき、複写機を使用していない時間にこの掲示情報を電子掲示する。これにより、コンビニエンス・ストアなどに設置されている複写機等の画像処理装置を利用して、個人的な広告あるいは地域に密着した情報を容易に電子掲示できる。
【特許文献１】特開２００２−７３６１９号公報
【特許文献２】特開２００２−１５６８７３号公報
【発明の開示】
【発明が解決しようとする課題】
【０００６】
しかしながら、これらの特許文献の技術では、電子的な情報を掲示する煩雑さをある程度軽減することは期待できるが、掲示したい情報のタイトル文字列、表示する日時、表示期限などの情報をすべて利用者がその場で入力する必要があり、電子的な情報を表示する際に非常に手間がかかってしまう問題がある。
【０００７】
また、電子掲示板上に送信した情報を効果的に編集したり効果的に利用者に提示したりする方法がなく、投稿した情報を逐次的に表示していくのみであった。
さらに、期限の切れた情報については、すべて情報を利用者が手動で削除するなどの操作が必要であり、情報の管理が非常に煩雑であった。
【０００８】
本発明は、上記の実情を考慮してなされたものであって、電子的な情報を表示する際の利用者の煩雑さを軽減し、ワンタッチで情報を登録し、さらに表示した電子的な情報の管理やハンドリングを改善する情報表示システム、情報表示装置、情報表示方法、並びにプログラムおよび記録媒体を提供することを目的とする。
【課題を解決するための手段】
【０００９】
上記課題を解決するために、請求項１に記載の発明は、表示する画像情報を取得する情報発行装置と、表示する画像情報を管理する情報管理装置と、画像情報を表示する情報表示装置とをネットワークを介して通信可能に接続された情報表示システムであって、前記情報発行装置は、利用者が所望のスケジュール情報を取得するスケジュール取得手段と、文書を電子的な画像情報として取り込む画像取得手段と、前記スケジュール情報と前記画像情報とを登録管理するために前記情報管理装置へ転送するデータ登録要求手段とを有し、前記情報管理装置は、前記データ登録要求手段から受信した画像情報とスケジュール情報とを対応付けてデータ記憶手段へ登録するデータ登録手段と、利用者が指定したスケジュール情報を保持するスケジュール記憶手段とを有し、前記情報表示装置は、前記データ記憶手段に記憶しているスケジュール情報と画像情報とを取得し、該スケジュール情報に基づいて画像情報を表示する情報表示手段を有することを特徴とする情報表示システムである。
【００１０】
請求項２に記載の発明は、請求項１に記載の情報表示システムにおいて、前記スケジュール取得手段は、前記スケジュール記憶手段に記憶されたスケジュール情報に基づいて選択させることを特徴とする情報表示システムである。
請求項３に記載の発明は、請求項２に記載の情報表示システムにおいて、前記情報発行装置は、一人以上の利用者のユニークなＩＤ情報を特定するユーザ認識手段を有し、前記スケジュール取得手段は、前記スケジュール記憶手段に記憶されたスケジュール情報のうち、前記ユーザ認識手段によって認識したユーザＩＤに合致するスケジュール情報のみに基づいて選択させることを特徴とする情報表示システムである。
【００１１】
請求項４に記載の発明は、請求項１に記載の情報表示システムにおいて、前記情報表示手段は、画像情報を画面に配置して表示する通常の表示状態と、スケジュール情報をカレンダ形式で表示する表示状態とを選択可能としたことを特徴とする情報表示システムである。
請求項５に記載の発明は、請求項４に記載の情報表示システムにおいて、前記情報表示装置は、前記情報表示手段で表示された画像情報の配置位置や大きさを編集して、前記データ記憶手段を更新する編集手段を有することを特徴とする情報表示システムである。
請求項６に記載の発明は、請求項４または５に記載の情報表示システムにおいて、前記情報表示装置は、前記情報表示手段により表示された画像情報のズーミングを指定可能とする発行手段を有することを特徴とする情報表示システムである。
【００１２】
請求項７に記載の発明は、請求項６に記載の情報表示システムにおいて、前記発行手段は、指定された画像情報を中央に拡大表示するとともに、指定されない他の画像情報の大きさは、前記指定された画像情報との相対距離に比例して縮小し、指定されない他の画像情報の表示位置は、前記指定された画像情報からの相対距離に反比例して移動表示することを特徴とする情報表示システムである。
請求項８に記載の発明は、請求項６または７に記載の情報表示システムにおいて、前記発行手段は、前記情報表示手段で表示された画像情報以外を指定することによって、ズーミング表示を解除することを特徴とする情報表示システムである。
【００１３】
請求項９に記載の発明は、請求項１乃至８のいずれかに記載の情報表示システムにおいて、前記情報表示装置は、一人以上の使用者のユニークなＩＤ情報を特定するユーザ認識手段を有し、前記情報表示手段は、前記データ記憶手段に記憶されたスケジュール情報のうち、前記ユーザ認識手段によって認識したユーザＩＤに合致するスケジュール情報についてだけ表示することを特徴とする情報表示システムである。
【００１４】
請求項１０に記載の発明は、表示する画像情報を取得するとともに、該表示する画像情報を管理する情報発行装置と画像情報を表示する情報表示装置とをネットワークを介して通信可能に接続された情報表示システムであって、前記情報発行装置は、利用者が所望のスケジュール情報を取得するスケジュール取得手段と、文書を電子的な画像情報として取り込む画像取得手段と、前記スケジュール情報と前記画像情報とを対応付けてデータ記憶手段へ登録するデータ登録手段と、利用者が指定したスケジュール情報を保持するスケジュール記憶手段とを有し、前記情報表示装置は、前記データ記憶手段に記憶しているスケジュール情報と画像情報とを取得し、該スケジュール情報に基づいて画像情報を表示する情報表示手段を有することを特徴とする情報表示システムである。
【００１５】
請求項１１に記載の発明は、表示する画像情報を取得する情報発行装置と、表示する画像情報を管理するとともに該画像情報を表示する情報表示装置とをネットワークを介して通信可能に接続された情報表示システムであって、前記情報発行装置は、利用者が所望のスケジュール情報を取得するスケジュール取得手段と、文書を電子的な画像情報として取り込む画像取得手段と、前記スケジュール情報と前記画像情報とを登録管理するために前記情報管理装置へ転送するデータ登録要求手段とを有し、前記情報表示装置は、前記データ登録要求手段から受信した画像情報とスケジュール情報とを対応付けてデータ記憶手段へ登録するデータ登録手段と、利用者が指定したスケジュール情報を保持するスケジュール記憶手段と、前記データ記憶手段に記憶しているスケジュール情報と画像情報とを取得し、該スケジュール情報に基づいて画像情報を表示する情報表示手段とを有することを特徴とする情報表示システムである。
【００１６】
請求項１２に記載の発明は、管理された画像情報を表示する情報表示方法であって、利用者が所望のスケジュール情報を取得するとともに、文書を電子的な画像情報として取り込んで、前記スケジュール情報と前記画像情報とを対応付けてデータ記憶手段へ登録し、前記データ記憶手段に記憶しているスケジュール情報と画像情報とを取得して、該スケジュール情報に基づいて画像情報を表示することを特徴とする情報表示方法である。
【００１７】
請求項１３に記載の発明は、管理された画像情報を表示する情報表示装置であって、利用者が所望のスケジュール情報を取得するスケジュール取得手段と、文書を電子的な画像情報として取り込む画像取得手段と、前記スケジュール情報と前記画像情報とを対応付けてデータ記憶手段へ登録するデータ登録手段と、利用者が指定したスケジュール情報を保持するスケジュール記憶手段と、前記データ記憶手段に記憶しているスケジュール情報と画像情報とを取得し、該スケジュール情報に基づいて画像情報を表示する情報表示手段とを有することを特徴とする情報表示装置である。
【００１８】
請求項１４に記載の発明は、コンピュータに、請求項１乃至１１いずれかに記載の情報表示システムの機能、あるいは、請求項１３に記載の情報表示装置の機能を実現させるためのプログラムである。
請求項１５に記載の発明は、コンピュータが読み取り可能な記録媒体であって、請求項１４に記載のプログラムを記録したことを特徴とする記録媒体である。
【発明の効果】
【００１９】
本発明によれば、情報の発行操作から表示するまでの一連の操作、期限切れ情報の更新などをワンタッチで行えるため、電子的な情報を表示する際の利用者の煩雑さを軽減できるようになる。
【００２０】
また、画像情報のズーミングやカレンダなどの表示操作インタフェースにより、表示した電子的な情報のハンドリングを改善できる。
また、利用者の個人特定により、スケジュール入力・選択といった従来技術では非常に煩雑であった情報操作の負荷を軽減できる。
また、利用者を個人特定することができるので、個人に関連する情報だけを表示したり、取得したりすることができる。複数人の場合も同様に、複数の利用者に関連する情報を表示したり、取得したりすることができる。
【発明を実施するための最良の形態】
【００２１】
以下、図面を参照して本発明の情報表示システムや情報表示装置に係る好適な実施形態について説明する。
【００２２】
＜実施形態１＞
図１は、本実施形態１に係る情報表示システムの概略構成図である。同図において、情報表示システムは、情報発行装置１００、情報管理装置２００、情報表示装置３００から構成され、ネットワーク４００を介してそれぞれ１台以上の装置が接続されている。
【００２３】
情報発行装置１００は、タッチパネルやマウス等のポインティング装置からなる入力部１０１、文書をスキャンしたり、画像や映像等を撮影して電子的な画像情報として取り込む撮像部１０２、入力、指示やガイドなどを表示する表示部１０３、画像情報や入力や指示された情報を記憶する記憶部１０４、ネットワーク４００を介して記憶部１０４や表示部１０３の情報を送受信する通信部１０５から構成される。
情報発行装置１００には、図２（Ａ）におけるような、一般的な複合機（ＭＦＰ）、スキャナ、複写機、ファクシミリ装置などを用いたり、あるいは、図２（Ｂ）におけるような、デジタルカメラ／デジタルビデオカメラや撮像機能のついた携帯電話のようなモバイル装置を用いる。
【００２４】
情報管理装置２００は、情報発行装置１００や情報表示装置３００とネットワーク４００を通じて情報の送受信を行う通信部２０３、通信部において送受信した情報をデータベースとして記録管理するデータ管理部２０１、利用者のスケジュール情報をデータベースとして管理するスケジュール管理部２０２、送受信される情報を蓄積する記憶部２０４から構成される。
情報管理装置２００には、図２におけるようなパソコンやワークステーションなどの情報端末を利用する。
【００２５】
情報表示装置３００は、情報管理装置２００とネットワーク４００を通じて情報の送受信を行う通信部３０５、通信部３０５において送受信した情報を記録する記憶部３０３、記憶部３０３内に記録した情報を操作編集する操作部３０２、タッチパネルやマウス等のポインティング装置からなる入力部３０１、記憶部３０３に記録したイメージ情報や付随する情報を表示したり編集させたりするビットマップディスプレイからなる表示部３０４から構成される。
情報表示装置３００は、図２におけるようなプラズマディスプレイや液晶ディスプレイを利用する。
【００２６】
ネットワーク４００は、情報発行装置１００、情報管理装置２００および情報表示装置３００とを結合するための伝送路であって、各装置間の通信プロトコルが一致するものであれば無線、有線のいずれでもよく、例えば、ＬＡＮ（Local Area Network）、ＷＡＮ（Wide Area Network）、インターネットなどによって実現することができる。
【００２７】
これらの各装置は、概略次のように動作する。
情報管理装置２００は、例えば、会議やイベントの名称と開催日時などからなるスケジュール情報を管理しており、情報発行装置１００がそのスケジュール情報を取得し、利用者の投稿・発行したい情報の電子化した画像情報を取得し、この画像情報にスケジュール情報や発行情報や表示期限などの付加的な情報とともに情報管理装置２００に記録し、情報表示装置３００が情報管理装置２００に記録した画像情報とスケジュール情報や付加的な情報を読み出して表示・編集を行う。
【００２８】
図３は、本実施形態１に係る情報表示システムの各装置における機能構成を示すブロック図である。
情報発行装置１００は、スケジュール取得部１１０、画像取得部１２０、データ登録要求部１３０を含んで構成される。
スケジュール取得部１１０は、情報発行装置１００において、ユーザが入力部１０１を用いて、機能メニュー等から情報発行ボタン等を押下すると起動され、通信部１０５を介して、情報管理装置２００にスケジュール情報を要求し、取得したスケジュール情報を表示部１０３に表示させる。
図４のフローチャートを用いて、スケジュール取得部１１０の動作を説明する。
まず、情報管理装置２００にスケジュール情報を要求し、登録したユーザ、登録日、スケジュール、タイトル等のスケジュール情報を取得する（ステップＳ１）。
取得したスケジュール情報のうち、スケジュールが現在の日時に比較して所定の日数（Ｘ日）前後かどうかを判断して、前後Ｘ日でないと判断した場合（ステップＳ２／ＮＯ）、ステップＳ５へ進む。
【００２９】
一方、前後Ｘ日であると判断した場合（ステップＳ２／ＹＥＳ）、そのスケジュールを順次スケジュールラベルに表示する（ステップＳ４）。
スケジュールが最後のものである場合（ステップＳ５／ＹＥＳ）、処理を終了する。
他方、スケジュールが最後のものでなかったら（ステップＳ５／ＮＯ）、スケジュール情報の次のスケジュールを参照して（ステップＳ３）、ステップＳ２へ戻る。
【００３０】
上記のＸ日は、予め設定したスケジュール情報の表示幅であり、例えば３０日とすると、現在の日時の前後およそ一ヶ月についてのスケジュールが得られることになる。
あるいは、情報管理装置２００の方で、現在の日時のＸ日前後のスケジュール情報を抽出して、情報発行装置１００に返信するようにしてもよい。
【００３１】
スケジュール取得部１１０は、上記の操作により、図５に例示したようなスケジュールラベルリストの表示を行う。同図において、各リストは、利用者の投稿したい情報に関連付けるスケジュール情報（スケジュールとタイトル）であり、それぞれ画像取得操作を実行するスケジュールラベル（ボタン）と、スケジュールの表示を過去や将来のものにスクロールする上下ボタンから構成されている。
【００３２】
即ち、スケジュールラベルボタンを入力部１０１によって選択・押下することにより、画像取得部１２０が起動し、押下したスケジュールラベル上のスケジュール情報と関連付けた上で、画像取得動作を行う。
また、上下ボタンは、スケジュール情報がスケジュールラベルの表示枠数よりも多い場合に、前後のスケジュールラベルに表示をスクロールさせるのに用いる。上方向のボタン（△）を押下すると、スケジュールラベルが全体として下方向にスクロールして、さらに過去のスケジュールに関するスケジュールラベルを表示する。
下方向のボタン（▽）を押下すると反対に、スケジュールラベルが全体として上方向にスクロールして、将来方向の日時として登録されているスケジュールラベルを表示する。
【００３３】
画像取得部１２０は、スケジュールラベルのいずれかのボタンが押下されると起動し、記憶部１０４に設定されたパラメータを用いて撮像部１０２により画像データを取得し、取得した画像データを記憶部１０４へ一時的に保存する。
図６のフローチャートを用いて、画像取得部１２０の動作を説明する。
選択されたスケジュールラベルボタンに対応するスケジュール情報を取得し（ステップＳ１１）、記憶部１０４に設定されたパラメータを用いてスキャンを開始する（ステップＳ１２）。
スキャンが成功した場合には（ステップＳ１３／ＹＥＳ）、スキャンした画像の情報を記憶部１０４に記憶する。スキャンに失敗した場合は処理を終了して、ユーザが次のスケジュールラベルを選択するまで待つ。
上記の説明では、スキャナにより画像を取得するようにしていたが、デジタルカメラやビデオカメラによって撮影した画像を取得するようにしてもよい。あるいは、ネットワークに接続した他のコンピュータや携帯端末等から取得するようにしてもよい。
【００３４】
データ登録要求部１３０は、通信部１０５を介して、記憶部１０４に一時的に記憶した画像データと、これに対するスケジュール情報とをデータ登録要求として情報管理装置２００へ送信する。
【００３５】
次に、情報管理装置２００は、データ登録部２１０、データ記憶部２２０、データ更新部２３０、データ転送部２４０、スケジュール登録部２５０、スケジュール記憶部２６０、スケジュール転送部２７０を含んで構成される。
データ管理部２０１は、データ登録部２１０、データ更新部２３０およびデータ転送部２４０を含み、データ記憶部２２０は記憶部２０４内に記憶する。
スケジュール管理部２０２は、スケジュール登録部２５０およびスケジュール転送部２７０を含み、スケジュール記憶部２６０は記憶部２０４内に記憶する。
【００３６】
ここで、スケジュール情報の登録は、スケジュール記憶部２６０に予めデータとして蓄積しておいてもよい。あるいは、利用者のパソコンやワークステーションなどの情報端末で編集してもよいし、あるいは、情報発行装置１００や情報表示装置３００の上で編集してもよい。また、ここに示すようなインタフェースのみならず、グループウェアなどの他のソフトウェアで登録したスケジュール情報をインポートして利用してもよい。
このように他のソフトウェアで通常の業務で登録したスケジュール情報を利用することで、本発明のように情報を表示する際にも、全く手間を感じさせずに煩雑な情報を登録・編集することができる。
【００３７】
例えば、情報管理装置２００にてスケジュール情報を登録する場合には、メニュー等によりスケジュール登録部２５０を起動する。
スケジュール登録部２５０は、起動されると、図７に例示したようなスケジュール情報の登録画面を表示する。
このスケジュール情報の登録画面は、図７の左側の領域に、ユーザ、タイトル、スケジュールなどの情報の入力フィールドと、入力された各情報を登録あるいは更新するための「登録・更新」ボタン６０３と、入力した情報を取りやめるための「キャンセル」ボタン６０４等がある。また、図７の右側の領域に、現在、スケジュール記憶部２６０に登録されているスケジュール情報のリスト６０５が表示されている。
【００３８】
この画面において、新規にスケジュール情報を登録するときには、図８に例示したように、登録（編集）したい情報のボタン部分５００，５０７，５０８のいずれかを押下すると、それに見合ったスクリーンキーボード５０２を含むウィンドウ５０１がポップアップ表示される。
このウィンドウ５０１の上のスクリーンキーボード５０２の各文字に対応する部分のボタンを押下すると、それに対応したキーがその上部のテキストボックス５０３に入力される。ここで「登録」ボタン５０４を押すと、元の「スケジュール情報の登録」領域の「ユーザ」ボタン５００に対応するテキストボックス部分５０６に入力した情報が代入される。
「キャンセル」ボタン５０５を押した場合は、「ユーザ」ボタン５００に対応するテキストボックス部分５０６には何の操作も行われない。
「スケジュール情報の登録」領域の他の「タイトル」ボタン５０７や「スケジュール」ボタン５０８についても同じような操作を行うことにより入力できる。
【００３９】
また、図７に示した画面において、登録済みのスケジュール情報を更新するときには、入力部１０１を用いて「スケジュール情報のリスト」領域の中のひとつのスケジュール情報６０１を押下すると、その情報が左側の「スケジュール情報の登録」の領域の各項目６０２のところに表示され、各項目の登録と同様にして、一旦入力した情報を再度編集することができる。
最後に、ユーザが入力部１０１を用いて、「登録・更新」ボタン６０３を押下すると、それぞれの項目からなるスケジュール情報をスケジュール記憶部２６０に登録あるいは更新する。登録あるいは更新が完了すると、右側の「スケジュール情報のリスト」の領域に登録あるいは更新されたスケジュール情報を表示する。
【００４０】
図９のフローチャートを用いて、図７で「登録・更新」ボタンが押されたときの動作を説明する。
順次、「ユーザ」に対する値が入力されたか（ステップＳ２１）、「タイトル」に対する値が入力されたか（ステップＳ２２）、「スケジュール」に対する値が入力されたか（ステップＳ２３）を判断する。
いずれかの値が入力されていない場合には（ステップＳ２１／ＮＯ、Ｓ２２／ＮＯ、Ｓ２３／ＮＯ）、エラー情報（例えば、「情報が入力されていません」のようなダイアログ）を表示し（ステップＳ２６）、処理を終了する。
すべての情報が入力されていた場合には（ステップＳ２３／ＹＥＳ）、スケジュール記憶部２６０に入力された情報を登録あるいは更新し（ステップＳ２４）、図７の右側の「スケジュール情報のリスト」の領域を更新して処理を終了する（ステップＳ２５）。
【００４１】
スケジュール記憶部２６０は、図１０に例示したように、各スケジュール情報ごとに、少なくとも、ユーザ、登録日、スケジュール、タイトルの情報が記憶される。
同図において、「ユーザ」のフィールドには、利用者毎にユニークな個人特定情報を記憶してもよいし、利用者の名前やニックネームでもよい。「ユーザ」のフィールドには単一の利用者を記憶してもよいし、複数の利用者を記憶してもよい。個人特定情報としては、数値０００１,０００２,０００３,...、メールアドレスuser1@domain.com, user2@domain.com, ...,あるいは文字列Ａ,Ｂ,Ｃ,...などがある。
また、ユーザが複数の場合には、例えば、空欄などによって互いを区切ってそれぞれの文字列を区別できるようにする。
【００４２】
「登録日」は、スケジュール情報が登録あるいは更新された日時を記憶する。この「登録日」には、「2003.2.3 13:45:34」のように、年月日と時分秒の間をスペース、年月日を「.(ピリオド)」、時分秒を「:(コロン)」で区切るようにして日時を表記する。
「スケジュール」も「登録日」と同様であるが、秒情報を省略したり、「-(ハイフン)」によって期間を指定することができる。
「タイトル」は、表示すべき内容を表現する自由表記による文字列である。
【００４３】
スケジュール転送部２７０は、情報発行装置１００からスケジュール情報の取り出し要求を受信すると、スケジュール記憶部２６０に記憶されているすべてのスケジュール情報を抽出して、要求元へ返信する。または、上述したように、現在の日時のＸ日（予め記憶部２０４に設定したスケジュール取得間隔であり、例えば３０日）前後のスケジュール情報を抽出して、要求元に返信するようにしてもよい。
【００４４】
データ登録部２１０は、情報発行装置１００のデータ登録要求部１３０から通信部２０３を介して、データの登録要求を受信すると起動する。図１１のフローチャートを用いて、データ登録部２１０の動作を説明する。
まず、通信部２０３では、画像情報とそれに付随するスケジュール情報からなるデータを待ち受け（ステップＳ３１）、データを受信していない場合は（ステップＳ３２／ＮＯ）、データの待ち受け処理を繰り返す。
【００４５】
データを受信したと判断すると（ステップＳ３２／ＹＥＳ）、受信したデータに識別可能な番号（ＩＤ）を付番する（ステップＳ３３）。ここで、ＩＤは、例えば、受信した順番に１,２,３,４,...のように重複しない番号を振る。
【００４６】
次に、受信した画像情報を、例えば、ＪＰＥＧやＢＭＰといった標準的なイメージファイルフォーマットのファイルとして記憶部２０４に保存する（ステップＳ３４）。
次に、記憶部２０４に保存したファイルのファイルパスからＵＲＬ（Uniform Resource Locator）情報を生成する（ステップＳ３５）。
例えば、記憶部２０４に記憶した画像情報のファイルパスが/data/file/20031014170000_1.jpgの場合、情報管理装置２００のアドレスをwww.server1とすると、http://www.server1/file/20031014170000_1.jpgのようにＵＲＬを生成する。これは、ファイルパスの「/data」の文字列部分を「http://www.server1」という文字列で置換することによりＵＲＬを生成できる。
【００４７】
最後に、「ＩＤ」、「登録日」、「発行日時」、「表示期限」、「タイトル」、「スケジュール」、「ファイル（ファイルパス）」、「ＵＲＬ」と、パラメータ「x」、「y」、「w」、「h」、「θ」を加えて、データ記憶部２２０に記録する（ステップＳ３６）。
ここで、「x,y」は、画像情報を情報表示装置３００で表示する際の表示位置（左上隅の水平・垂直の座標）であり、「w,h」は、情報表示装置３００に表示する際の画像情報の幅と高さのサイズである。また、「θ」は画像情報の重心を中心とした回転角である。
【００４８】
データ記憶部２２０は、図１２に例示したように、受信したデータ登録要求ごとに、前述した「ＩＤ」、「登録日」、「発行日時」、「表示期限」、「タイトル」、「スケジュール」、「ファイル（ファイルパス）」、「x」、「y」、「w」、「h」、「θ」、「ＵＲＬ」をそれぞれ記録する。
【００４９】
データ更新部２３０は、通信部２０３を介して、情報表示装置３００の編集部３２０から送信された、編集されたデータのＩＤと、編集された「x」、「y」、「w」、「h」、「θ」を受け取り、データ記憶部２２０における当該ＩＤのデータの「x」、「y」、「w」、「h」、「θ」の値を受信した値で更新する。
データ転送部２４０は、通信部２０３を介して、情報表示装置３００の情報表示部３１０からのデータ要求に対して、データ記憶部２２０に記憶されたすべてのデータを取得して要求元へ返信する。
【００５０】
次に、情報表示装置３００は、情報表示部３１０、編集部３２０、発行部３３０とを含んで構成される。
情報表示装置３００の表示画面は、図１３に例示したように、「通常」ボタン７０１と「カレンダ」ボタン７０２の表示状態を選択するボタンと、「発行」ボタン７０３と「編集」ボタン７０４という編集状態を選択するボタンを備えている。
【００５１】
ここで、一般の利用者が操作できる情報表示装置３００では、「通常」ボタン７０１、「カレンダ」ボタン７０２、「発行」ボタン７０３とが表示され、「編集」ボタン７０４は表示されない。しかし、管理者が操作する情報表示装置３００では、４つのすべてのボタンが表示され、画像情報を表示・編集することができる。
【００５２】
また、一般の利用者が操作する情報表示装置３００では、「通常」あるいは「カレンダ」のいずれかの表示状態の切替だけができればよいため、「発行」ボタンをも省略することができる。この「発行」ボタンが表示されていないときには、ズーミング処理はできないものとする。
【００５３】
しかし、表示内容をさらに詳しく知りたい当事者にとっては、表示された画像のズーミングを行いたいときもある。この場合には、通常は、「発行」ボタンを図１４に示したように非表示にしておき、非表示にした「発行」ボタンを表示状態にする手段（例えば、「発行」ボタン領域を長押しする）を設けるようにする。
このように「発行」ボタンが表示されているときには、表示された画像に対するズーミング指定ができるようになる。
また、ここで表示状態の「発行」ボタンを押してしまうと、「発行」ボタンが非表示状態になり画像情報のズーミングが指定できなくなる。
このように、「発行」ボタンを非表示にすることにより、利用者の編集性を保つことができる。
【００５４】
以下の説明では、管理者が使用する情報表示装置について説明するが、一般の利用者の使用する情報表示装置についても容易に適用することができる。
【００５５】
「通常」ボタン７０１または「カレンダ」ボタン７０２のいずれかが入力部３０１によって選択・押下されると、情報表示部３１０が起動される。
情報表示部３１０は、「通常」ボタン７０１が押されたときには、図１５に例示したように、画面全体に登録されているデータが表示される。この場合の情報表示部３１０の動作について図１６のフローチャートを用いて説明する。
情報表示装置３００の通信部３０５を介して、情報管理装置２００のデータ転送部２４０に、データ記憶部２２０に記憶されたすべてのデータを転送するように要求し、送られてきたデータを記憶部３０３に記録する（ステップＳ４１）。
次に、記憶部３０３に記憶されたデータの各ＩＤの開始番号から順次処理を進める（ステップＳ４２）。
【００５６】
まず、そのＩＤについて「発行日時」が設定されていない場合は（ステップＳ４３／ＮＯ）、ステップＳ４５へ進む。一方、設定されている場合には（ステップＳ４３／ＹＥＳ）、その「発行日時」が現在の日時を過ぎていない場合には（ステップＳ４４／ＮＯ）、ＩＤを次に進めて（ステップＳ５１）、ステップＳ４３へ戻る。
【００５７】
他方、「発行日時」が現在の日時を過ぎている場合には（ステップＳ４４／ＹＥＳ）、ステップＳ４５へ進む。
「表示期限」が設定されている場合には（ステップＳ４５／ＹＥＳ）、「表示期限」が現在の日時より前でない場合には（ステップＳ４６／ＮＯ）、ＩＤを次に進めて（ステップＳ５１）、ステップＳ４３へ戻る。
「表示期限」が設定されていない場合（ステップＳ４５／ＮＯ）、および、「表示期限」が現在の日時より前の場合（ステップＳ４６／ＹＥＳ）、ステップＳ４７へ進む。
【００５８】
そのＩＤについて、ＵＲＬで示される画像情報を読み出し（ステップＳ４７）、画像情報をレンダリングして（ステップＳ４８）、表示装置の画面位置（x,y)に(w,h)の大きさでθの角度で表示部３０４に表示する（ステップＳ４９）。
次に、ＩＤがＩＤの最大数を超えていない場合には（ステップＳ５０／ＮＯ）、ＩＤを次に進めて（ステップＳ５１）、ステップＳ４３へ戻る。一方、超えた場合には（ステップＳ５０／ＹＥＳ）、処理を終了する。
【００５９】
次に、このような「通常」の表示状態で、「編集」ボタンが選択・押下された場合の画像情報の表示位置の編集について説明する。このとき、「編集」ボタンが選択・押下されると、編集部３２０が起動される。
編集部３２０は、入力部３０１によるタッチ位置とドラッギングによってそれぞれ（１）移動操作、（２）拡大・縮小操作、（３）回転操作が実行される。
【００６０】
（１）移動操作：
図１７では、操作部３０２を使って移動操作を行っている様子を示している。画像情報の移動操作を行うときには、入力部３０１を介して、画面に表示された特定の画像情報を押下（タッチ）した状態のままで移動（ドラッグ）すると、その画像情報を移動することができる。画像情報のタッチが離れた場合、そのときの画像位置を記憶部３０３で更新するとともに、情報管理装置２００のデータ更新部２３０へ送信して、データ記憶部２２０を更新する。
【００６１】
図１８のフローチャートを用いて、移動操作の動作を説明する。
まず、タッチを検出し、タッチされていない場合には、タッチ検出を繰り返す（ステップＳ６１、Ｓ６２）。
タッチされた場合（ステップＳ６２／ＹＥＳ）、まずＩＤの開始番号から順番にどの画像情報に対して行われたのかを以下の処理で探索する（ステップＳ６３）。
【００６２】
タッチした位置(mx,my)を検出し、位置(mx,my)がその画像情報の矩形領域(x,y)-(x+w,y+h)に含まれるかどうかを判断する（ステップＳ６４）。
含まれていず（ステップＳ６４／ＮＯ）、ＩＤがＩＤの最大数を超えていない場合（ステップＳ７３／ＮＯ）、次のＩＤに進めて（ステップＳ７４）、ステップＳ６４へ戻る。
しかし、ＩＤがＩＤの最大数を超えている場合（ステップＳ７３／ＹＥＳ）、処理を終了する。
【００６３】
一方、タッチした位置(mx,my)が特定のＩＤの矩形領域に含まれていた場合（ステップＳ６４／ＹＥＳ）、そのタッチした位置(mx,my)と画像情報の左上座標(x,y)の相対位置rx,ryを計算する（ステップＳ６５）。
次に、タッチした位置の移動座標(mx',my')を検出し（ステップＳ６６）、移動が検出されず（ステップＳ６７／ＮＯ）、タッチが離れていない場合には（ステップＳ７１／ＮＯ）、ステップＳ６６へ戻って移動検出処理を繰り返す。
【００６４】
移動した新たなタッチ座標位置(mx',my')と以前の相対位置rx,ryとの差から新たな座標位置（x,y）を算出し（ステップＳ６８）、画像情報をレンダリングし（ステップＳ６９）、画像情報をこの新たな(x,y)の位置に(w,h)の大きさで、さらにθの角度で回転表示し（ステップＳ７０）、ステップＳ６６へ戻ってタッチ移動の検出処理を繰り返す。
一方、タッチが離れた場合（ステップＳ７１／ＹＥＳ）、ステップＳ６８で算出した座標位置を、このＩＤの画像位置の座標（x,y）に更新し（ステップＳ７２）、処理を終了する。この座標の更新は、情報表示装置３００の記憶部３０３および情報管理装置２００のデータ記憶部２２０の両方に行うようにする。
【００６５】
（２）拡大・縮小の操作：
図１９では、操作部３０２を使って拡大・縮小操作を行っている様子を示している。画像情報の拡大・縮小操作を行うときには、入力部３０１を介して、画面に表示された特定の画像情報の右下端部分をタッチした状態のままで移動（ドラッグ）すると、その画像情報を拡大・縮小することができる。画像情報のタッチが離れた場合、そのときの画像の大きさ（w,h）を記憶部３０３で更新するとともに、情報管理装置２００のデータ更新部２３０へ送信して、データ記憶部２２０を更新する。
【００６６】
図２０のフローチャートを用いて、拡大・縮小操作の動作を説明する。
まず、タッチを検出し、タッチされていない場合には、タッチ検出を繰り返す（ステップＳ８１、Ｓ８２）。
タッチされた場合（ステップＳ８２／ＹＥＳ）、まずＩＤの開始番号から順番にどの画像情報に対して行われたのかを以下の処理で探索する（ステップＳ８３）。
【００６７】
タッチした位置(mx,my)を検出し、位置(mx,my)がその画像情報の矩形領域の右下領域(x+w-s,y+h-s)-(x+w,y+h)に含まれるかどうかを判断する（ステップＳ８４）。ここで、ｓは右下領域の幅である。
含まれていず（ステップＳ８４／ＮＯ）、ＩＤがＩＤの最大数を超えていない場合（ステップＳ９２／ＮＯ）、次のＩＤに進めて（ステップＳ９３）、ステップＳ８４へ戻る。
しかし、ＩＤがＩＤの最大数を超えている場合（ステップＳ９２／ＹＥＳ）、処理を終了する。
【００６８】
一方、タッチした位置(mx,my)が特定のＩＤの矩形領域に含まれていた場合（ステップＳ８４／ＹＥＳ）、タッチした位置の移動座標(mx',my')を検出し（ステップＳ８５）、移動が検出されず（ステップＳ８６／ＮＯ）、タッチが離れていない場合には（ステップＳ９０／ＮＯ）、ステップＳ８５へ戻って移動検出処理を繰り返す。
移動したと判断した場合（ステップＳ８６／ＹＥＳ）、移動した新たなタッチ位置(mx',my')と（x,y）との差から新たな画像情報の大きさ（w,h）を算出し（ステップＳ８７）、画像情報をレンダリングし（ステップＳ８８）、画像情報を(x,y)の位置に新たな(w,h)の大きさで、さらにθの角度で回転表示し（ステップＳ８９）、ステップＳ８５へ戻ってタッチ移動の検出処理を繰り返す。
【００６９】
一方、タッチが離れた場合（ステップＳ９０／ＹＥＳ）、ステップＳ８７で算出した画像情報の大きさ（w,h）を、このＩＤの画像位置の大きさ（w,h）に更新し（ステップＳ９１）、処理を終了する。この画像情報の大きさの更新は、情報表示装置３００の記憶部３０３および情報管理装置２００のデータ記憶部２２０の両方に行うようにする。
【００７０】
（３）回転操作：
図２１では、操作部３０２を使って回転操作を行っている様子を示している。画像情報の回転操作を行うときには、入力部３０１を介して、画面に表示された特定の画像情報の右上端部分をタッチした状態のままで移動（ドラッグ）すると、その画像情報を回転することができる。画像情報のタッチが離れた場合、そのときの画像の回転角度を記憶部３０３で更新するとともに、情報管理装置２００のデータ更新部２３０へ送信して、データ記憶部２２０を更新する。
【００７１】
図２２のフローチャートを用いて、回転操作の動作を説明する。
まず、タッチを検出し、タッチされていない場合には、タッチ検出を繰り返す（ステップＳ１０１、Ｓ１０２）。
タッチされた場合（ステップＳ１０２／ＹＥＳ）、まずＩＤの開始番号から順番にどの画像情報に対して行われたのかを以下の処理で探索する（ステップＳ１０３）。
【００７２】
タッチした位置(mx,my)を検出し、位置(mx,my)がその画像情報の矩形領域の右上領域(x+w-s,y-s)-(x+w,y)に含まれるかどうかを判断する（ステップＳ１０４）。ここで、ｓは右上領域の幅である。含まれていず（ステップＳ１０４／ＮＯ）、ＩＤがＩＤの最大数を超えていない場合（ステップＳ１１３／ＮＯ）、次のＩＤに進めて（ステップＳ１１４）、ステップＳ１０４へ戻る。
しかし、ＩＤがＩＤの最大数を超えている場合（ステップＳ１１３／ＹＥＳ）、処理を終了する。
【００７３】
一方、タッチした位置(mx,my)が特定のＩＤの矩形領域に含まれていた場合（ステップＳ１０４／ＹＥＳ）、タッチした画像情報の重心位置（gx,gy）を計算する（ステップＳ１０５）。
次に、タッチした位置の移動座標(mx',my')を検出し（ステップＳ１０６）、移動が検出されず（ステップＳ１０７／ＮＯ）、タッチが離れていない場合には（ステップＳ１１１／ＮＯ）、ステップＳ１０６へ戻って移動検出処理を繰り返す。
【００７４】
移動したと判断した場合（ステップＳ１０７／ＹＥＳ）、重心(gx,gy)と最初のタッチ位置(mx,my)の線分と、重心(gx,gy)と移動した新たなタッチ位置(mx',my')との線分の角度θを算出し（ステップＳ１０８）、画像情報をレンダリングし（ステップＳ１０９）、画像情報をこの新たな(x,y)の位置に(w,h)の大きさで、さらにθの角度で回転表示し（ステップＳ１１０）、ステップＳ１０６へ戻ってタッチ移動の検出処理を繰り返す。
【００７５】
一方、タッチが離れた場合（ステップＳ１１１／ＹＥＳ）、ステップＳ１０８で算出した回転角度で、このＩＤの画像の回転角度θを更新し（ステップＳ１１２）、処理を終了する。この座標の更新は、情報表示装置３００の記憶部３０３および情報管理装置２００のデータ記憶部２２０の両方に行うようにする。
【００７６】
次に、「通常」の表示状態で、「発行」ボタンが選択・押下された場合の画像情報のズーミング表示について説明する。このとき、「発行」ボタンが選択・押下されると、発行部３３０が起動される。
発行部３３０は、入力部３０１によるタッチ位置で特定された画像情報の（１）ズームイン、（２）ズームアウトが実行される。
【００７７】
例えば、図２３に例示したように、「通常」の表示状態で、利用者が入力部３０１で特定の画像をタッチする（図２３（Ａ））と、その画像が表示装置の中央に寄るような形でズームインして表示し、他の画像が相対的に縮小して見えるように表示する（図２３（Ｂ））。
また、ズームインした状態（図２３（Ｂ））で、表示装置の画像以外の領域をタッチした場合には、ズームアウトして図２３（Ａ）の状態に戻る。
また、ズームインした状態で、他の画像をタッチすると、タッチした画像がズーミングされ、今までズームインになっていた画像は縮小表示される。
【００７８】
（１）ズームイン：
図２４および図２５のフローチャートを用いて、発行部３３０におけるズームインの動作について説明する。
まず、タッチを検出し、タッチされていない場合には、タッチ検出を繰り返す（ステップＳ１２１、Ｓ１２２）。
タッチされた場合（ステップＳ１２２／ＹＥＳ）、まずＩＤの開始番号から順番にどの画像情報に対して行われたのかを以下の処理で探索する（ステップＳ１２３）。
【００７９】
タッチした位置(mx,my)を検出し、位置(mx,my)がその画像情報の矩形領域(x,y)-(x+w,y+h)に含まれるかどうかを判断する（ステップＳ１２４）。
含まれていず（ステップＳ１２４／ＮＯ）、ＩＤがＩＤの最大数を超えていない場合（ステップＳ１３０／ＮＯ）、次のＩＤに進めて（ステップＳ１３１）、ステップＳ１２４へ戻る。
しかし、ＩＤがＩＤの最大数を超えている場合（ステップＳ１３０／ＹＥＳ）、画像以外の場所がタッチされたものとして、ズームアウト表示して（ステップＳ１３２）処理を終了する。
【００８０】
一方、タッチした位置(mx,my)が特定のＩＤの矩形領域に含まれていた場合（ステップＳ１２４／ＹＥＳ）、選択された画像の重心位置(sgx,sgy)を計算し（ステップＳ１２５）、距離範囲Ｒを計算する（ステップＳ１２６）。ここで、距離範囲Ｒとは、図２３でのズーミングの影響がおよぶ物理的な距離であり、表示装置の幅ＰＷの所定の倍率（例えば、０.７倍）分の大きさである。
次に、選択した画像の縦横ともに所定の倍率（例えば、２倍）した値をそれぞれ新たなｎｗとｎｈとして計算して拡大後のサイズを計算し（ステップＳ１２７）、画像拡大後の左上座標(x,y)を計算する（ステップＳ１２８）。
これらの選択画像の重心位置(sgx,sgy)、拡大画像の左上座標(x,y)、拡大後のサイズ(nw,nh)、距離範囲Ｒ等を用いて、すべての画像を再計算して表示しなおして（ステップＳ１２９）、処理を終了する。
【００８１】
図２５は、上記のステップＳ１２９のズーミング処理の動作を示すフローチャートである。
ＩＤの開始番号から順番にすべての画像情報に対して以下の処理で再表示する（ステップＳ１３５）。
まず、ＩＤに対する画像（以下、処理画像という）の重心位置(tx,ty)を計算し（ステップＳ１３６）、処理画像と選択画像の重心位置同士の相対距離dx,dyを計算する（ステップＳ１３７）。
次に、処理画像を移動させる距離ＮＲを計算する（ステップＳ１３８）。これは、選択画像との距離が遠いほど、その移動距離は小さくなるように反比例した値として求める。
【００８２】
【数１】
2007066065.tif 000003
【００８３】
次に、処理画像の移動後の重心位置を新たに(tx,ty)として計算し（ステップＳ１３９）、移動後の新たな左上座標(x,y)を計算する（ステップＳ１４０）。
次に、処理画像の大きさ（サイズ）w,hをそれぞれtw,thとして一時的に記憶し（ステップＳ１４１）、新たな処理画像の大きさを計算する（ステップＳ１４２）。これは、選択画像との距離が近いほど、その大きさが大きくなるように比例した値を求めるようになっている。
【００８４】
次に、大きさを更新した後の処理画像の矩形の左上座標の値(x,y)を計算し（ステップＳ１４３）、この大きさを更新後の処理画像をレンダリングし（ステップＳ１４４）、新たに算出した(x,y)の位置に(w,h)の大きさで、θの角度で画像を回転表示する（ステップＳ１４５）。
【００８５】
ＩＤがＩＤの最大数を超えていない場合（ステップＳ１４６／ＮＯ）、次のＩＤに進めて（ステップＳ１４７）、ステップＳ１３７へ戻る。
しかし、ＩＤがＩＤの最大数を超えている場合（ステップＳ１４６／ＹＥＳ）、処理を終了する。
【００８６】
（２）ズームアウト：
発行部３３０は、図２３（Ｂ）の表示状態で表示されている画像以外の領域が入力部３０１でタッチされることを検知しており、その領域がタッチされたことにより、元の画像の大きさに再描画することによってズームアウト表示がなされる。
【００８７】
次に、情報表示装置３００の編集状態が「発行」の場合の画像情報を出力処理について説明する。
発行部３３０では、図２３（Ｂ）の表示状態のとき、入力部３０１でタッチされるのを検知しており、選択画像がタッチされると図２６に例示したような、「印刷」ボタン、「保存」ボタンと「キャンセル」ボタンを含むダイアログウィンドウを表示する。
このとき、「印刷」ボタンを押下すると、選択画像情報のＩＤを取得し、該当するＩＤの画像情報を記憶部３０３から読み出し、通信部３０５を通じてネットワークやＣＯＭポートやプリンタポートに接続した印字装置（プリンタなど）に画像情報を送出して印刷する。
また、「保存」ボタンを押下すると、選択画像情報のＩＤを取得し、該当するＩＤの画像情報を記憶部３０３から読み出し、通信部３０５を通じてネットワークに接続した情報処理装置（ＰＣなど）に画像情報を送出して、その情報処理装置の備える記録媒体に保存する。
また、「キャンセル」ボタンを押下した場合は、選択した画像情報を出力せずに処理を終了する。
【００８８】
上記の説明は、情報表示装置３００の表示状態が「通常」の場合についてであったが、以下、表示状態が「カレンダ」の場合について説明する。
情報表示装置３００において、「カレンダ」ボタンが入力部３０１によって選択・押下されると、情報表示部３１０が起動される。
情報表示部３１０は、「カレンダ」ボタンが押されたときには、図２７に例示したように、所謂現在の日にちを含む月ごとのカレンダのような表示状態となり、「スケジュール」が該当する月の該当する日の部分の領域８０１に、そのスケジュールの「タイトル」の情報８０２を表示する。期間をもつスケジュールのときには、その期間を示す矢印８０３も表示される。また、このカレンダの「年」と「月」を示す文字列８０４を表示し、その周辺には、年や月を選択するためのボタン８０５を表示する。
【００８９】
次に、図２８のフローチャートを用いて、「カレンダ」ボタンが押された場合の情報表示部３１０の動作について説明する。
表示状態が「カレンダ」に切り替わると、現時点の年と月についてのカレンダを表示装置に表示して（ステップＳ１５１）、情報表示装置３００の通信部３０５を介して、情報管理装置２００のデータ転送部２４０に、データ記憶部２２０に記憶されたすべてのデータを転送するように要求し、送られてきたデータを記憶部３０３に記録する（ステップＳ１５２）。
次に、記憶部３０３に記憶されたデータの各ＩＤの開始番号から順次処理を進める（ステップＳ１５３）。
【００９０】
まず、そのＩＤについて「発行日時」が設定されていない場合は（ステップＳ１５４／ＮＯ）、ステップＳ１５６へ進む。一方、設定されている場合には（ステップＳ１５４／ＹＥＳ）、その「発行日時」が現在の日時を過ぎていない場合には（ステップＳ１５５／ＮＯ）、ＩＤを次に進めて（ステップＳ１６３）、ステップＳ１５４へ戻る。
【００９１】
他方、「発行日時」が現在の日時を過ぎている場合には（ステップＳ１５５／ＹＥＳ）、ステップＳ１５６へ進む。
「表示期限」が設定されている場合（ステップＳ１５６／ＹＥＳ）や、「表示期限」が現在の日時より前でない場合（ステップＳ１５７／ＮＯ）、ＩＤを次に進めて（ステップＳ１６３）、ステップＳ１５４へ戻る。
「表示期限」が設定されていない場合（ステップＳ１５６／ＮＯ）、および、「表示期限」が現在の日時より前の場合（ステップＳ１５７／ＹＥＳ）、ステップＳ１５８へ進む。
【００９２】
そのＩＤについて、「スケジュール」情報が登録されている場合（ステップＳ１５８／ＹＥＳ）、そのスケジュールより日付部分の情報を取得する（ステップＳ１５９）。これは、「スケジュール」の文字列より年月日に相当する文字列を抽出することで実現する。例えば、「2003/12/23-24 学会」という文字列がスケジュールに登録されている場合、「/（スラッシュ）」文字によって区切られる最初の４桁の数字を年、次の２桁の数字を月、その次の２桁の数字を日として抽出する。
【００９３】
次に、抽出した日付が現時点の年と月に含まれている場合には（ステップＳ１６０／ＹＥＳ）、そのスケジュールから抽出した年月日に相当するカレンダの位置に「タイトル」や日にちを表す矢印などの視覚的な情報を表示し（ステップＳ１６１）、ステップＳ１６２へ進む。
【００９４】
また、「スケジュール」が設定されておらず（ステップＳ１５８／ＮＯ）、あるいは、抽出した日付が現時点の年と月に含まれていない場合には（ステップＳ１６０／ＮＯ）、ステップＳ１６２へ進む。
次に、ＩＤがＩＤの最大数を超えていない場合には（ステップＳ１６２／ＮＯ）、ＩＤを次に進めて（ステップＳ１６３）、ステップＳ１５４へ戻る。一方、超えた場合には（ステップＳ１６２／ＹＥＳ）、処理を終了する。
【００９５】
次に、図２７に示したように、情報表示装置３００の表示状態が「カレンダ」になっている場合に、特定のスケジュールに対応する画像情報を表示する方法について説明する。
入力部３０１で表示装置に表示された特定のスケジュール情報がタッチされるのを検知しており、例えば、「２００３年３月２３日〜２４日」のスケジュールのタイトル「○×学会」に相当する領域８０２がタッチされたのを検知すると、図２９に例示したように、そのスケジュールに対応する画像情報を表示装置上にポップアップ表示する。
【００９６】
上述した「カレンダ」の表示状態において、特定のスケジュールの画像情報を表示する処理を図３０のフローチャートを用いて説明する。
まず、タッチを検出し、タッチされていない場合には、タッチ検出を繰り返す（ステップＳ１７１、Ｓ１７２）。
タッチされた場合（ステップＳ１７２／ＹＥＳ）、まず表示されているカレンダの日付部分の矩形領域とタッチ位置とによって、タッチ位置の日付を検出し（ステップＳ１７３）、ＩＤの開始番号から順番にどの画像情報に対して行われたのかを以下の処理で探索する（ステップＳ１７４）。
【００９７】
そのＩＤについて、「スケジュール」情報が登録されている場合（ステップＳ１７５／ＹＥＳ）、そのスケジュールより日付部分の情報を取得する（ステップＳ１７６）。これは、「スケジュール」の文字列より年月日に相当する文字列を抽出することで実現する。例えば、「2003/12/23-24 学会」という文字列がスケジュールに登録されている場合、「/（スラッシュ）」文字によって区切られる最初の４桁の数字を年、次の２桁の数字を月、その次の２桁の数字を日として抽出する。
【００９８】
次に、抽出した日付が現時点の年と月に含まれている場合には（ステップＳ１７７／ＹＥＳ）、ＩＤに対応する画像情報をレンダリングし（ステップＳ１７８）、レンダリングした画像を表示し（ステップＳ１７９）、ステップＳ１８０へ進む。
【００９９】
また、「スケジュール」が設定されておらず（ステップＳ１７５／ＮＯ）、あるいは、抽出した日付が現時点の年と月に含まれていない場合には（ステップＳ１７７／ＮＯ）、ステップＳ１８０へ進む。
次に、ＩＤがＩＤの最大数を超えていない場合には（ステップＳ１８０／ＮＯ）、ＩＤを次に進めて（ステップＳ１８１）、ステップＳ１７５へ戻る。一方、超えた場合には（ステップＳ１８０／ＹＥＳ）、処理を終了する。
【０１００】
上述した実施形態１の情報発行装置１００および情報表示装置３００には、ユーザ認識部を備えていない。
そのため、情報発行装置１００のスケジュール取得部１１０では、すべての利用者のスケジュール情報を取得するようになるので、自分のスケジュールを探すのに手間がかかる。
また、上述の情報表示装置３００の発行部３３０では、秘密にしておきたい詳細な画像情報までもズーミング表示してしまっていた。
【０１０１】
そのため、図３１に例示したように、図１の情報表示システムの情報発行装置１００と情報表示装置３００のそれぞれに、ユーザ認識部を設けるようにした。図３１において、図１と同様な機能については同じ符号を付して、説明を省略する。
ユーザ認識部１０６およびユーザ認識部３０６は、ＲＦＩＤ、アクティブＲＦＩＤ、ＩＣカード、バイオメトリクスなどの個人を特定・照合する公知の装置により構成して、利用者を個人識別する。
【０１０２】
情報発行装置１００内のユーザ認識部１０６は、上述の技術によって入力部１０１を介して利用者の個人特定を行っておく。また、情報発行装置１００の周囲に複数の利用者がいる場合にも、それらの複数人の利用者の個人特定情報を取得しておく。
【０１０３】
スケジュール取得部１１０では、ユーザ認識部１０６で特定された利用者（または、複数人の利用者）と、情報管理装置２００のスケジュール記憶部２６０から取得したスケジュール情報の「ユーザ」フィールドとの照合を行って、一致する利用者のスケジュール情報のみを抽出して、スケジュールラベルを生成して表示するようにする。
【０１０４】
また、情報表示装置３００内のユーザ認識部３０６は、上述の技術によって入力部３０１を介して利用者の個人特定を行っておく。勿論、情報表示装置３００の周囲に複数の利用者がいる場合であっても、それらの複数人の利用者の個人特定情報を取得しておく。
【０１０５】
情報表示部３１０では、ユーザ認識部３０６で認識した利用者（または、複数人の利用者）と記憶部３０３に記憶したデータの「ユーザ」とが一致した場合、その利用者の画像情報をレンダリングして表示する。
これにより、情報表示装置３００の付近にいる利用者（または、複数人の利用者）だけの画像情報を表示することができる。
【０１０６】
また、発行部３３０では、ユーザ認識部３０６で認識した利用者（または、複数人の利用者）と記憶部３０３に記憶したデータの「ユーザ」とが一致した場合、その利用者の画像情報をズーミングして表示する。
これにより、特定の利用者だけに対して秘匿情報を表示することができる。また、例えば、ある特定の会議についての書類の画像をその会議に関連する利用者が閲覧したり、保存または印刷したりできるようになる。
【０１０７】
＜実施形態２＞
上述した実施形態１の情報表示システムは、図１および図３１に示したように、発行装置、情報管理装置および情報表示装置がそれぞれ独立した装置としてネットワーク等で接続したものであった。
本実施形態２は、図３２に例示するように、情報発行装置と情報管理装置とを一体とし、この一体とする装置と情報表示装置とを分離し、その間を有線や無線などのネットワークで接続するように構成する。
このような構成とすると、情報発行装置が１台で表示する画像情報を集中管理し、複数台の情報表示装置を分散して、遠隔地等に設置する形態に適用可能である。
【０１０８】
図３３は、実施形態２に係る情報表示システムの機能構成を示すブロック図である。同図において、図３と同じ機能は同じ符号を付して説明を省略する。
実施形態１では、データ登録要求部１３０とデータ登録部２１０との間、およびスケジュール転送部２７０とスケジュール取得部１１０との間では、ネットワーク４００を介してデータの授受を行うようにしていたが、本実施形態２では直接にデータを授受する点が相違している。
【０１０９】
また、上記の逆の場合として、複数台の情報発行装置を分散しておき、情報管理装置と情報表示装置とを一体の装置として１台設置することによって、複数の遠隔地の利用者が１台の表示装置を集中して利用するときの形態に適用可能である。
【０１１０】
図３４は、実施形態２に係る情報表示システムの他の機能構成を示すブロック図であり、同図において、図３と同じ機能は同じ符号を付して説明を省略する。
実施形態１では、編集部３２０とデータ更新部２３０との間、およびデータ転送部２４０と情報表示部３１０との間では、ネットワーク４００を介してデータの授受を行うようにしていたが、本実施形態２では直接にデータを授受する点が相違している。
【０１１１】
＜実施形態３＞
上記の実施形態１や実施形態２では、発行装置、情報管理装置および情報表示装置の各装置はネットワークによって接続した形態であるが、本実施形態３では情報発行装置、情報管理装置および情報表示装置とが、図３５に例示したように、一体の情報表示装置として構成することができる。
【０１１２】
上述した各実施形態においては、情報表示装置を液晶ディスプレイやプラズマディスプレイ等の比較的大型のディスプレイとして説明した（図３６（Ａ））。
しかし、本発明の情報表示装置の形態は、そのような大型のディスプレイに限定されたものではなく、複合機、複写機、プリンタなどの操作パネル面のようなものであってもよく（図３６（Ｂ））、主に文字列をスクロールさせるような電光掲示板のようなものであってもよく（図３６（Ｃ））、さらに、携帯電話やＰＤＡ（Personal Digital Assistant)のディスプレイであってもよい。
【０１１３】
ここで、図３６（Ｃ）（例えば、鉄道の駅などの案内板）のような、文字列だけをスクロールするような場合は、図３７に例示するように、データ記憶部に記憶された情報のうち、「タイトル」や「スケジュール」等の情報を順次スクロール（流れるような形）して表示する。この例の場合、情報が「タイトル５」で終われば、順次、最初の「タイトル１」から繰り返して表示することになる。
これらの詳細が知りたい利用者は、表示されている「タイトル」等をタッチし、この「タイトル」等に対応する画像情報をネットワークに接続した印刷装置や記録媒体へ出力できる。
【０１１４】
＜上記実施形態の機能を実現するプログラムまたは記録媒体による実施＞
本発明は、上述した実施形態のみに限定されたものではない。上述した実施形態の情報表示システムおよび情報表示装置を構成する各機能をそれぞれプログラム化して、予め記録媒体に書き込んでおき、この記録媒体に記録されたこれらのプログラムをコンピュータに備えられたメモリあるいは記憶装置に格納し、そのプログラムを実行することによって、本発明の目的が達成されることは言うまでもない。この場合、記録媒体から読み出されたプログラム自体が上述した実施形態の機能を実現することになり、そのプログラムおよびそのプログラムを記録した記録媒体も本発明を構成することになる。
また、上記プログラムは、そのプログラムの指示に基づき、オペレーティングシステムあるいは他のアプリケーションプログラム等と共同して処理することによって上述した実施形態の機能が実現される場合も含まれる。
【０１１５】
なお、上述した実施形態の機能を実現するプログラムは、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等のいずれの形態の記録媒体で提供されてもよい。あるいは、ネットワークを介して記憶装置に格納された上記プログラムをサーバコンピュータから直接供給を受けるようにしてもよい。この場合、このサーバコンピュータの記憶装置も本発明の記録媒体に含まれる。
このように、上述した実施形態の機能をプログラム化して流通させることによって、コストの低廉化、および可搬性や汎用性を向上させることができる。
【産業上の利用可能性】
【０１１６】
上記の各実施形態は、例えば、次のような場面で使うことができる。
【０１１７】
（１）駅での広告への利用:
ある駅に情報発行装置と情報管理装置を備えて広告担当者が管理し、また情報表示装置を駅内の所定位置へ複数台設置する。これに対して、駅の広告担当者が、広告を出したい会社から広告データ、表示スケジュールや表示位置を請け負って、情報管理装置へ登録しておく。
各情報表示装置では、ネットワークに接続した情報管理装置から広告データを取得して、所定の位置で情報表示装置の表示形態にあわせて、指定された位置、大きさ、回転角で配置して表示する。
【０１１８】
（２）分散した広告発行と広告表示での利用：
例えば、遠隔地に情報発行装置と情報表示装置とを設置しておき、情報発行装置から受け取った情報（広告）を情報管理装置で集中して管理する。
遠隔地に設置された情報表示装置を指定して、ある情報発行装置から表示する情報を登録する。情報表示装置では、自分が表示すべき情報を情報管理装置から取得して表示する。
このような形態では、海外の広告依頼者が日本の適切な場所に設置されている情報表示装置へ広告を出すことができる。
また、災害などにおいて、罹災者やその家族友人が遠隔地から連絡情報を相手のいる場所に設置されている情報表示装置へ表示することができる。
【図面の簡単な説明】
【０１１９】
【図１】実施形態１に係る情報表示システムの概略構成図である。
【図２】実施形態１に係る情報表示システムの外観図である。
【図３】実施形態１に係る情報表示システムの各装置における機能構成を示すブロック図である。
【図４】スケジュール取得部の動作を説明するフローチャートである。
【図５】情報発行装置におけるスケジュールラベルの表示例である。
【図６】画像取得部の動作を説明するフローチャートである。
【図７】スケジュール情報の登録画面例である。
【図８】スケジュール情報の項目に対する入力例である。
【図９】スケジュール登録部で「登録・更新」ボタンが押されたときの動作を説明するフローチャートである。
【図１０】スケジュール記憶部のデータ例である。
【図１１】データ登録部の動作を説明するフローチャートである。
【図１２】データ記憶部のデータ例である。
【図１３】情報表示装置の表示画面例である。
【図１４】「発行」ボタンを非表示にした情報表示装置の表示画面例である。
【図１５】「通常」ボタンが押されたときの情報表示装置の表示画面例である。
【図１６】「通常」ボタンが押されたときの情報表示部の動作を説明するフローチャートである。
【図１７】操作部を使って移動操作を行っている様子である。
【図１８】編集部における移動操作の動作を説明するフローチャートである。
【図１９】操作部を使って拡大・縮小操作を行っている様子である。
【図２０】編集部における拡大・縮小操作の動作を説明するフローチャートである。
【図２１】操作部を使って回転操作を行っている様子である。
【図２２】編集部における回転操作の動作を説明するフローチャートである。
【図２３】発行が指定されたときの画像情報のズーミングを説明する図である。
【図２４】「通常」の場合のズームインの動作を説明するフローチャートである（画像情報の特定処理）。
【図２５】「通常」の場合のズームインの動作を説明するフローチャートである（画像情報のズーミング処理）。
【図２６】ズーミングされた画像情報の出力を指定するダイアログの表示例である。
【図２７】「カレンダ」ボタンが押されたときの情報表示装置の表示画面例である。
【図２８】「カレンダ」ボタンが押されたときの情報表示部の動作を説明するフローチャートである。
【図２９】「カレンダ」表示のときの画像情報のズーミング表示例である。
【図３０】「カレンダ」の場合のズームインの動作を説明するフローチャートである。
【図３１】ユーザ認証部を備えた、実施形態１に係る情報表示システムの各装置における機能構成を示すブロック図である。
【図３２】実施形態２に係る情報表示システムの外観図である。
【図３３】実施形態２に係る情報表示システムの各装置における機能構成を示すブロック図である。
【図３４】実施形態２に係る情報表示システムの各装置における他の機能構成を示すブロック図である。
【図３５】実施形態３に係る情報表示装置の外観図である。
【図３６】情報表示装置の種類を説明する図である。
【図３７】文字列をスクロールするときの表示例である。
【符号の説明】
【０１２０】
１００…情報発行装置、１０１…入力部、１０２…撮像部、１０３…表示部、１０４…記憶部、１０５…通信部、１０６…ユーザ認識部、１１０…スケジュール取得部、１２０…画像取得部、１３０…データ登録要求部、２００…情報管理装置、２０１…データ管理部、２０２…スケジュール管理部、２０３…通信部、２０４…記憶部、２１０…データ登録部、２２０…データ記憶部、２３０…データ更新部、２４０…データ転送部、２５０…スケジュール登録部、２６０…スケジュール記憶部、２７０…スケジュール転送部、３００…情報表示装置、３０１…入力部、３０２…操作部、３０３…記憶部、３０４…表示部、３０５…通信部、３０６…ユーザ認識部、３１０…情報表示部、３２０…編集部、３３０…発行部、４００…ネットワーク、５００…「ユーザ」ボタン、５０１…ウィンドウ、５０２…スクリーンキーボード、５０３…テキストボックス、５０４…「登録」ボタン、５０５…「キャンセル」ボタン、５０６…テキストボックス部分、５０７…「タイトル」ボタン、５０８…「スケジュール」ボタン、６０１…１つのスケジュール情報、６０２…入力フィールド、６０３…「登録・更新」ボタン、６０４…「キャンセル」ボタン、６０５…スケジュール情報のリスト、７０１…「通常」ボタン、７０２…「カレンダ」ボタン、７０３…「発行」ボタン、７０４…「編集」ボタン、８０１…日にち部分の領域、８０２…タイトル情報、８０３…スケジュールの期間を示す矢印、８０４…年月を示す文字列、８０５…年月を選択するボタン。
【図３１】
2007066065.tif 000004
【図１】
2007066065.tif 000005
【図２】
2007066065.tif 000006
【図３】
2007066065.tif 000007
【図４】
2007066065.tif 000008
【図５】
2007066065.tif 000009
【図６】
2007066065.tif 000010
【図７】
2007066065.tif 000011
【図８】
2007066065.tif 000012
【図９】
2007066065.tif 000013
【図１０】
2007066065.tif 000014
【図１１】
2007066065.tif 000015
【図１２】
2007066065.tif 000016
【図１３】
2007066065.tif 000017
【図１４】
2007066065.tif 000018
【図１５】
2007066065.tif 000019
【図１６】
2007066065.tif 000020
【図１７】
2007066065.tif 000021
【図１８】
2007066065.tif 000022
【図１９】
2007066065.tif 000023
【図２０】
2007066065.tif 000024
【図２１】
2007066065.tif 000025
【図２２】
2007066065.tif 000026
【図２３】
2007066065.tif 000027
【図２４】
2007066065.tif 000028
【図２５】
2007066065.tif 000029
【図２６】
2007066065.tif 000030
【図２７】
2007066065.tif 000031
【図２８】
2007066065.tif 000032
【図２９】
2007066065.tif 000033
【図３０】
2007066065.tif 000034
【図３２】
2007066065.tif 000035
【図３３】
2007066065.tif 000036
【図３４】
2007066065.tif 000037
【図３５】
2007066065.tif 000038
【図３６】
2007066065.tif 000039
【図３７】
2007066065.tif 000040